(57)【特許請求の範囲】
【請求項１】
焼却炉で発生した排ガスを大気へ放出させる排ガスラインの途中に、バグフィルタと触媒脱硝反応塔とを順次組み付け、且つ上記排ガスラインのバグフィルタよりも上流部と触媒脱硝反応塔よりも下流部との間にバグフィルタバイパスラインが接続してあるごみ処理設備における設備の立上げ時、立下げ時、緊急停止時にバグフィルタを通過させないでバグフィルタバイパスラインを通して排ガスを系外へ直接排出させるようにしてある構成において、上記立上げ時、立下げ時、緊急停止時の不安定な排ガスをクリーンな排ガスとし且つ脱硝触媒に悪影響を与えることなく排出させることができるように、上記排ガスラインのバグフィルタ出口側と上記バグフィルタバイパスラインの中間部とを、脱硝バイパスラインで接続して、上記不安定な排ガスをバグフィルタを通過させてクリーンな排ガスとして脱硝バイパスラインからバグフィルタバイパスラインを経由させて大気へ排出させるようにした構成を有することを特徴とするごみ処理設備。
【請求項２】
焼却炉で発生した排ガスを大気へ放出させる排ガスラインの途中に、バグフィルタと触媒脱硝反応塔とを順次組み付け、且つ上記排ガスラインのバグフィルタよりも上流部と触媒脱硝反応塔よりも下流部との間にバグフィルタバイパスラインが接続してあるごみ処理設備における設備の立上げ時、立下げ時、緊急停止時にバグフィルタを通過させないでバグフィルタバイパスラインを通して排ガスを系外へ直接排出させるようにしてある構成において、上記立上げ時、立下げ時、緊急停止時の不安定な排ガスをクリーンな排ガスとし且つ脱硝触媒に悪影響を与えることなく排出させることができるように、上記排ガスラインのバグフィルタ出口側と上記バグフィルタバイパスラインの中間部とを、脱硝バイパスラインで接続して、上記不安定な排ガスをバグフィルタを通過させてクリーンな排ガスとして脱硝バイパスラインからバグフィルタバイパスラインを経由させて大気へ排出させるようにし、更に、上記バグフィルタよりも上流側に位置する排ガスラインのバグフィルタバイパスライン接続部よりも上流側位置に、灰溶融排ガスラインを接続した構成を有することを特徴とするごみ処理設備。
【発明の詳細な説明】
【０００１】
【発明の属する技術分野】
本発明は都市ごみの如きごみを焼却処理するごみ処理設備に関するものである。
【０００２】
【従来の技術】
現在のごみの処理方式としては、焼却炉にてごみを燃焼するようにした燃焼方式が採用されている。
【０００３】
上記燃焼方式を採用したごみ処理設備としては、図２にその一例の概略を示す如く、焼却炉１で発生した排ガスを誘引通風機２で誘引して煙突３を通し大気へ放出させるための排ガスライン４に、上流側より順にボイラ５、ガス冷却塔（又はガス調温室）６、バグフィルタ７、再加熱器８、触媒脱硝反応塔９を組み込んだ構成としてある。
【０００４】
かかるごみ処理設備において、ボイラ５にて廃熱を回収した後の排ガスには多くのダストが含まれているため、このダストを捕集するためにバグフィルタ７が用いられるが、ボイラ５を通過した後の排ガスはなおも高温であるため、ガス冷却塔６において、バグフィルタ７に有する濾布の耐熱温度（通常２５０℃）以下まで２流体（水＋圧縮空気混合体）噴霧により冷却するようにしている。この際、最近のダイオキシン対策としては、排ガスを４００℃近辺より急冷して２００℃以下に冷却することが好ましいとされているが、排ガス成分によっては、温度が低過ぎると酸露点に達して腐食発生の問題が生ずるため、１５０〜１６０℃程度にコントロールするようにしているのが通例である。
【０００５】
一方、触媒脱硝反応塔９では、触媒の反応効率上の最適温度が２１０〜２３０℃であるため、バグフィルタ７を通過した後の１５０〜１６０℃程度の温度を有する排ガスを再加熱器８にて蒸気−排ガスによる熱交換により再加熱してから触媒脱硝反応塔９へ導くようにしている。
【０００６】
しかしながら、上記構成のごみ処理設備の場合、立上げ時や立下げ時、あるいは、緊急停止時には、バグフィルタ７を通過させずに排ガスを系外に排出させることが必要となることから、近年では、図３に一例を示す如く、図２に示したと同様な構成において、排ガスライン４のバグフィルタ７の入口側と、触媒脱硝反応塔９の出口側（触媒脱硝反応塔９と誘引通風機２との間）を、バグフィルタバイパスライン１０で接続した構成としている。なお、１１ａ及び１１ｂはバグフィルタ７の入口側開閉弁及び出口側開閉弁、１２は触媒脱硝反応塔９の出口開閉弁、１３ａ及び１３ｂはバグフィルタバイパスライン１０の上流側開閉弁及び下流側開閉弁を示す。
【０００７】
詳述すると、設備を長期停止状態から立上げるような場合において、排ガス温度が５０℃にならないような場合は、低温排ガスをそのままバグフィルタ７に導くと、排ガス中の成分ダストに結晶水をもつものがあるため、それが濾布に付着すると濾布の役割を損う問題が生じる。したがって、排ガスの温度が５０℃以上になるまでは系外に直接排出させることが好ましい。
【０００８】
又、設備を停止してメンテナンスを行う等の立下げ時には、焼却炉１を早く冷却したいが、焼却炉１の耐火材は蓄熱しているため、バグフィルタ７の濾布が排ガスの通過抵抗となって冷却時間が長くかかるという問題がある。
【０００９】
更に、設備に異常（種々の要因がある）があった場合等、緊急停止するときには、２次異常現象を生じさせないように、排ガスは系外に速かに排出することがよいとされている。
【００１０】
したがって、このような立上げ時、立下げ時、緊急停止時には、バグフィルタバイパスライン１０を通して排ガスを系外へ直接排出させるようにしている。
【００１１】
【発明が解決しようとする課題】
ところが、最近のごみ処理設備は都市近郊に建設される場合も多く、その周囲には住宅や学校等が位置しており、ダイオキシン対策からも排ガスの系外直接排出は問題があり、排ガスのクリーン化が求められているので、立上げ時、立下げ時、緊急停止時といえども、排ガスを排ガスライン４を通して排出せざるを得なくなってきているが、この場合、触媒脱硝反応塔９で使用している触媒が早期に役に立たなくなってしまう可能性が高い。
【００１２】
すなわち、触媒脱硝反応塔９では、窒素酸化物規制対策にアンモニアガス吹き込みによる触媒脱硝を行うが、この触媒は、五酸化バナジウムＶ2 Ｏ5 、三酸化タングステンＷＯ3 、三酸化チタンＴｉＯ3 、シリカＳｉＯ2 等でできており、成分上非常に微妙で且つ超高価であるため、立上げ時や立下げ時、緊急停止時等の不安定な排ガスを通過させると、排ガス中の未燃カーボンや揮発成分等と反応して、劣化して早期に機能を失うことになる。
【００１３】
そこで、本発明は、立上げ時や立下げ時、緊急停止時等でも排ガスを直接系外へ排出させないようにし、且つ脱硝触媒に悪影響を与えることなく排ガスを排出させることができるようにしようとするものである。
【００１４】
【課題を解決するための手段】
本発明は、上記課題を解決するために、焼却炉で発生した排ガスを大気へ放出させる排ガスラインの途中に、バグフィルタと触媒脱硝反応塔とを順次組み付け、且つ上記排ガスラインのバグフィルタよりも上流部と触媒脱硝反応塔よりも下流部との間にバグフィルタバイパスラインが接続してあるごみ処理設備における設備の立上げ時、立下げ時、緊急停止時にバグフィルタを通過させないでバグフィルタバイパスラインを通して排ガスを系外へ直接排出させるようにしてある構成において、上記立上げ時、立下げ時、緊急停止時の不安定な排ガスをクリーンな排ガスとし且つ脱硝触媒に悪影響を与えることなく排出させることができるように、上記排ガスラインのバグフィルタ出口側と上記バグフィルタバイパスラインの中間部とを、脱硝バイパスラインで接続して、上記不安定な排ガスをバグフィルタを通過させてクリーンな排ガスとして脱硝バイパスラインからバグフィルタバイパスラインを経由させて大気へ排出させるようにした構成とする。
【００１５】
立上げ時や立下げ時、緊急停止時等には、不安定な排ガスを、バグフィルタを通した後、脱硝バイパスラインを通してから大気へ放出させるようにすることにより、クリーンな排ガスが排出されることになる。この際、排ガスは触媒脱硝反応塔を通らないため、触媒の機能に支障を来すことはない。
【００１６】
又、上記構成において、バグフィルタよりも上流側に位置する排ガスラインのバグフィルタバイパスライン接続部よりも上流側位置に、灰溶融排ガスラインを接続した構成とすることにより、焼却炉の排ガスとは異なる成分を有する灰溶融排ガスをバグフィルタでクリーン化することができる。
【００１７】
【発明の実施の形態】
以下、本発明の実施の形態を図面を参照して説明する。
【００１８】
図１は本発明の実施の一形態を示すもので、図３に示したごみ処理設備の構成において、焼却炉１の排ガスライン４のバグフィルタ７の出口側とバグフィルタバイパスライン１０の中間部との間に、バイパス弁１４を備えた脱硝バイパスライン１５を接続し、バグフィルタ７を通過した後の排ガスを、バイパス弁１４や各開閉弁の開閉操作により、脱硝バイパスライン１５からバグフィルタバイパスライン１０を経由させて誘引通風機２より大気へ放出させられるようにする。
【００１９】
又、上記バグフィルタ７よりも上流側に位置する排ガスライン４のバグフィルタバイパスライン接続部とガス冷却塔６との間の位置に、灰溶融排ガスライン１６を接続し、灰溶融排ガスを、バグフィルタ７を通過させて放出させるようにする。その他の構成は図３に示したものと同様であり、同一部分には同一符号が付してある。
【００２０】
通常運転時には、バグフィルタ７の入口側と出口側の開閉弁１１ａと１１ｂを開、触媒脱硝反応塔９の出口開閉弁１２を開、バグフィルタバイパスライン１０の上流側と下流側の開閉弁１３ａと１３ｂを閉、脱硝バイパスライン１５のバイパス弁１４を閉とした状態としておく。これにより、焼却炉１で発生した排ガスは、ボイラ５にて廃熱回収された後、ガス冷却塔６にて冷却されてからバグフィルタ７を通ることによりダスト回収され、更に、バグフィルタ７を通過した後の排ガスは、再加熱器８にて再加熱されてから触媒脱硝反応塔９を通過し、誘引通風機２により引かれて煙突３を通り大気へ放出される。
【００２１】
又、灰溶融排ガスライン１６により導かれた排ガスもバグフィルタ７にて濾過されてから同様に大気に放出される。
【００２２】
一方、立上げ時や立下げ時、あるいは、緊急停止等のように排ガスが不安定ガスのときには、バグフィルタ７の出口側開閉弁１１ｂと触媒脱硝反応塔９の出口開閉弁１２とバグフィルタバイパスライン１０の上流側開閉弁１３ａを閉じ、バグフィルタ７の入口側開閉弁１１ａとバグフィルタバイパスライン１０の下流側開閉弁１３ｂと脱硝バイパスライン１５のバイパス弁１４を開いた状態とする。これにより、焼却炉１の排ガスは、バグフィルタ７を通過した後、脱硝バイパスライン１５からバグフィルタバイパスライン１０を通ってクリーンなガスとして大気へ放出されるようになる。
【００２３】
このように、立上げ時等の不安定な排ガスを排出させるときには、バグフィルタ７の出口側から脱硝バイパスライン１５とバグフィルタバイパスライン１０を通すようにして、触媒脱硝反応塔９をバイパスさせるようにするので、触媒脱硝反応塔９に未燃カーボンや揮発分を含む排ガスが入ることはなく、このため、触媒を劣化させたりすることをなくすことができる。したがって、その後に通常運転を行っても、触媒脱硝反応塔９では、支障なく脱硝機能を発揮することができる。
【００２４】
なお、本発明は、上記実施の形態にのみ限定されるものではなく、脱硝バイパスライン１５は通常運転時は使用しないので、残留排ガスによる低温腐食が生じないように、クリーンガスを投入して加圧又は流動させるようにすることが望ましいこと、その他本発明の要旨を逸脱しない範囲内において種々変更を加え得ることは勿論である。
【００２５】
【発明の効果】
以上述べた如く、本発明のごみ処理設備によれば、焼却炉で発生した排ガスを大気へ放出させる排ガスラインの途中に、バグフィルタと触媒脱硝反応塔とを順次組み付け、且つ上記排ガスラインのバグフィルタよりも上流部と触媒脱硝反応塔よりも下流部との間にバグフィルタバイパスラインが接続してあるごみ処理設備における設備の立上げ時、立下げ時、緊急停止時にバグフィルタを通過させないでバグフィルタバイパスラインを通して排ガスを系外へ直接排出させるようにしてある構成において、上記立上げ時、立下げ時、緊急停止時の不安定な排ガスをクリーンな排ガスとし且つ脱硝触媒に悪影響を与えることなく排出させることができるように、上記排ガスラインのバグフィルタ出口側と上記バグフィルタバイパスラインの中間部とを、脱硝バイパスラインで接続して、上記不安定な排ガスをバグフィルタを通過させてクリーンな排ガスとして脱硝バイパスラインからバグフィルタバイパスラインを経由させて大気へ排出させるようにした構成としてあるので、立上げ時や立下げ時、緊急停止時には、不安定な排ガスを、バグフィルタを通過させた後に、脱硝バイパスラインからバグフィルタバイパスラインを経由させることにより、触媒脱硝反応塔をバイパスさせて排出させることができ、これにより、触媒脱硝反応塔の触媒に悪影響を与えることがなくて触媒の機能を確保することができ、又、バグフィルタよりも上流側に位置する排ガスラインのバグフィルタバイパスライン接続部よりも上流側位置に、灰溶融排ガスラインを接続した構成とすることにより、焼却炉の排ガスとは成分の異なる灰溶融排ガスをもバグフィルタでクリーン化して排出することができる、という優れた効果を発揮する。
【図面の簡単な説明】
【図１】本発明のごみ処理設備の実施の一形態を示す概略図である。
【図２】従来のごみ処理設備の一例を示す概略図である。
【図３】従来のごみ処理設備の他の例を示す概略図である。
【符号の説明】
１  焼却炉
４  排ガスライン
７  バグフィルタ
９  触媒脱硝反応塔
１０  バグフィルタバイパスライン
１５  脱硝バイパスライン
１６  灰溶融排ガスライン
【図１】
0004221790.tif 000002
【図２】
0004221790.tif 000003
【図３】
0004221790.tif 000004